(57)【要約】【課題】  スマートエントリシステムにおいて、室内検知用アンテナの出力を複数に切り換えることにより、携帯機の位置をより正確かつ効率よく検知できるようにする。【解決手段】  車両Ｍに設けられ携帯機検知用信号を出力する検知用アンテナＮａ，Ｎｂ，Ｎｃからの出力信号を携帯機Ｋが受信したか否かによりユーザが車両に接近しているか否かを認識し、制御ユニットＥによりリフトゲートＧをロック・アンロックするようにしたスマートエントリシステムを備えた車両のリモートコントロールシステムであって、上記検知アンテナは、携帯機が車室内にあることを検知する室内検知用信号を出力し得る室内検知アンテナＮａ，Ｎｂを備え、該室内検知アンテナの出力を複数の大きさに切り換え、これら複数の大きさの出力信号のそれぞれについて、上記携帯機が受信したか否かにより当該携帯機の位置を判定することを特徴とする。【選択図】図１
2005105715.tif 000002
【特許請求の範囲】
【請求項１】
車両に設けられ携帯機検知用信号を出力する検知手段からの出力信号を携帯機が受信したか否かによりユーザが車両に接近しているか否かを認識し、制御ユニットにより所定の制御機器の作動をロック・アンロックするようにしたスマートエントリシステムを備えた車両のリモートコントロールシステムであって、
上記検知手段は、携帯機が車室内にあることを検知する室内検知用信号を出力し得る室内検知手段を備え、
該室内検知手段の出力を複数の大きさに切り換える出力切換手段と、
上記室内検知手段から出力される複数の大きさの出力信号のそれぞれについて、上記携帯機が受信したか否かにより当該携帯機の位置を判定する判定手段と、
が設けられていることを特徴とするリモートコントロールシステム。
【請求項２】
上記出力切換手段は、上記室内検知手段の出力を大小２段階に切り換えることを特徴とする請求項１記載のリモートコントロールシステム。
【請求項３】
上記室内検知手段は、車室内の後部に配設されていることを特徴とする請求項１又は２に記載のリモートコントロールシステム。
【請求項４】
上記室内検知手段は、車体後端部に形成された開口部を開閉可能に覆うバックドア近傍の車室内に配設されていることを特徴とする請求項１〜３の何れか一に記載のリモートコントロールシステム。
【請求項５】
上記バックドアは、合成樹脂材で形成されていることを特徴とする請求項４記載のリモートコントロールシステム。
【請求項６】
上記室内検知手段は、車室内後部の左右側部に１つずつ配設されていることを特徴とする請求項３〜５の何れか一に記載のリモートコントロールシステム。
【請求項７】
上記出力切換手段は、上記室内検知手段の出力を大中小３段階に切り換えることを特徴とする請求項３〜６の何れか一に記載のリモートコントロールシステム。
【発明の詳細な説明】
【技術分野】
【０００１】
この発明は、自動車等の車両に装備されるリモートコントロールシステム、特に、所謂スマートエントリシステムを備えたリモートコントロールシステムに関する。
【背景技術】
【０００２】
従来、自動車等の車両に装備されるリモートコントロールシステムの一つとして、無線通信機能を有する携帯機から送信されたロック・アンロック信号を車載の無線装置で受信してドアのロック・アンロック機構を駆動することにより、当該ドアのロック・アンロック状態を遠隔操作できるようにした、所謂、キーレスエントリシステムは、一般に良く知られている。
【０００３】
更に、近年では、携帯機を保持したユーザ（例えば、当該車両の乗員）が、車載の無線装置との交信範囲内に入るだけで、つまり車両にある範囲まで近付くだけで、或いは車体の所定箇所に触れるだけで、ドアをアンロックできるようにした、所謂、スマートエントリシステムも提案されている（例えば、特許文献１参照）。このシステムによれば、携帯機の発信操作など特別な操作をわざわざ行う必要無しに、車両に対してある範囲を基準として離間もしくは接近するだけで、ドアをロック・アンロックすることができ、より一層利便性が向上する。
【０００４】
かかるスマートエントリシステムでは、通常、携帯機が車室内に有るか否かを検知するために室内検知用信号を送出する室内検知用アンテナと、携帯機が室外（車外）の所定範囲内に有るか否かを検知するために室外検知用信号を送出する室外検知用アンテナとが車両に設けられている。
そして、ユーザの車両への接近に伴って携帯機が所定範囲（室外検知用アンテナの送信範囲）内に入った場合には、携帯機が室外検知用信号を受信して起動され、応答信号を出力する。この応答信号を車載の受信アンテナが受信することにより、ユーザが車両に接近していることが認識され、制御ユニットがドアのロック・アンロック機構を駆動し、当該ドアをアンロックするように構成されている。
【０００５】
但し、室外検知用信号は室外のみに送出されるのではなく、不可避的に、その一部は室内へも送出されるので、携帯機が室内に有るにも拘らずドアがアンロックされてしまうことを防止するために、室内検知用アンテナから室内検知用信号が送出されており、携帯機がこの室内検知用信号に対する応答信号を出力した場合には、携帯機は室内にあることが認識され、ドアはアンロックされることはないようになっている。尚、ユーザが車両を離れる場合には、以上の説明とは逆の動作となる。
【０００６】
尚、かかるスマートエントリシステムでは、室内検知用信号および室外検知用信号には、通常、比較的狭い範囲での交信に有効なＬＦ波（例えば、３０〜３００ｋＨｚ程度）が用いられ、携帯機の応答信号には、通常、比較的広い範囲でも交信可能なＵＨＦ波（例えば、３００ＭＨｚ〜３ＧＨｚ程度）若しくはＶＨＦ波が用いられる。
【特許文献１】特開２００２−１９４９３７号公報
【発明の開示】
【発明が解決しようとする課題】
【０００７】
ところで、車体後端部に形成した開口部をバックドアで開閉可能に覆うようにしたタイプの車両では、他のドアに比してバックドアから荷物を積み込むことが多い。かかる場合、乗員は荷物を持った状態でバックドアにアクセスするので、このバックドアがスマートエントリシステムでロック・アンロックできれば、とりわけ便利である。
【０００８】
また、近年では、車両軽量化の要請に応える一環として、上記バックドアについても合成樹脂材で製作したものが実用に供されるようになって来ているが、合成樹脂材料は電波透過性が高いので、室内検知用アンテナの出力電圧（出力レベル）の設定値が過大な場合には、室内検知用信号が合成樹脂製のバックドアを透過して室外にまで洩れて送信されることになる。このため、携帯機が室外にあるにも拘らず、室内にあるものと誤検知される惧れが生じる。一方、室内検知用アンテナの出力レベルの設定値が低すぎると、室内検知用信号を室内にくまなく送信することができず、携帯機が室内の隅にある場合や荷物の中に入れられている場合などには、これを検知することが難しくなる。
【０００９】
従来では、室内検知用アンテナの出力レベルは一定に設定されているので、上記のように室内検知用信号を室内にくまなく送信し、且つ、合成樹脂製のバックドアを透過して室外に洩れることが無いように設定するのはなかなかに難しいという問題があった。
【００１０】
この発明は、上記技術的課題に鑑みてなされたもので、室内検知用アンテナの出力を複数に切り換えることにより、携帯機の位置をより正確かつ効率よく検知できるようにすることを、基本的な目的とする。
【課題を解決するための手段】
【００１１】
このため、本願第１の発明は、車両に設けられ携帯機検知用信号を出力する検知手段からの出力信号を携帯機が受信したか否かによりユーザが車両に接近しているか否かを認識し、制御ユニットにより所定の制御機器の作動をロック・アンロックするようにしたスマートエントリシステムを備えた車両のリモートコントロールシステムであって、上記検知手段は、携帯機が車室内にあることを検知する室内検知用信号を出力し得る室内検知手段を備え、該室内検知手段の出力を複数の大きさに切り換える出力切換手段と、上記室内検知手段から出力される複数の大きさの出力信号のそれぞれについて、上記携帯機が受信したか否かにより当該携帯機の位置を判定する判定手段と、が設けられていることを特徴としたものである。
【００１２】
また、本願第２の発明は、上記第１の発明において、上記出力切換手段は上記室内検知手段の出力を大小２段階に切り換えることを特徴としたものである。
【００１３】
更に、本願第３の発明は、上記第１又は第２の発明において、上記室内検知手段は車室内の後部に配設されていることを特徴としたものである。
【００１４】
また更に、本願第４の発明は、上記第１〜第３の発明の何れか一において、上記室内検知手段は、車体後端部に形成された開口部を開閉可能に覆うバックドア近傍の車室内に配設されていることを特徴としたものである。
【００１５】
また更に、本願第５の発明は、上記第４の発明において、上記バックドアは合成樹脂材で形成されていることを特徴としたものである。
【００１６】
また更に、本願第６の発明は、上記第３〜第５の発明の何れか一において、上記室内検知手段は車室内後部の左右側部に１つずつ配設されていることを特徴としたものである。
【００１７】
また更に、本願第７の発明は、上記第３〜第６の発明の何れか一において、上記出力切換手段は上記室内検知手段の出力を大中小３段階に切り換えることを特徴としたものである。
【発明の効果】
【００１８】
本願第１の発明によれば、室内検知用信号を出力し得る室内検知手段の出力を出力切換手段によって複数の大きさに切り換えることができ、この複数の大きさの出力信号のそれぞれについて、上記携帯機が受信したか否かにより当該携帯機の位置を判定することができるので、室内検知手段の出力が一定であった従来に比して、よりきめ細かい携帯機の位置判定が可能となり、より有効に誤検知を防止することができる。
また、室内検知手段の複数の大きさの出力のうち大出力のものを、携帯機検知用信号の送信範囲が室外の所定領域にまで及ぶように設定した場合には、携帯機が車室外にあることを検知する室外検知用信号を出力し得る専用の室外検知手段を別途に設ける必要性を無くすることも可能となり、部品点数を削減してシステム構成の簡素化を図ることができるようになる。
【００１９】
また、本願第２の発明によれば、基本的には上記第１の発明と同様の効果を奏することができ、特に、上記出力切換手段は室内検知手段の出力を大小２段階に切り換えるものであるので、出力切換手段の構成を簡略化することができる。
【００２０】
更に、本願第３の発明によれば、基本的には上記第１又は第２の発明と同様の効果を奏することができ、特に、上記室内検知手段が車室内の後部に配設されていることにより、車両後方に携帯機が位置している場合について、その位置検出を行う上で有利となる。
【００２１】
また更に、本願第４の発明によれば、基本的には上記第１〜第３の発明の何れか一と同様の効果を奏することができ、特に、上記室内検知手段が車体後端部に形成された開口部を開閉可能に覆うバックドア近傍の車室内に配設されていることにより、スマートエントリシステム適用のニーズが高いバックドアについて、その後方に携帯機が位置しているか否かを認識する上で有利となる。
【００２２】
また更に、本願第５の発明によれば、基本的には上記第４の発明と同様の効果を奏することができる。特に、上記バックドアが電波透過性の高い合成樹脂材で形成されており誤検知が生じ易い場合について、よりきめ細かい携帯機の位置判定が可能で、より有効に誤検知を防止することができる。
【００２３】
また更に、本願第６の発明によれば、基本的には上記第３〜第５の発明の何れか一と同様の効果を奏することができ、特に、上記室内検知手段が車室内後部の左右側部に１つずつ配設されているので、より一層きめ細かい携帯機の位置判定を行うことができる。
【００２４】
また更に、本願第７の発明によれば、基本的には上記第３〜第６の発明の何れか一と同様の効果を奏することができ、特に、上記出力切換手段は室内検知手段の出力を大中小３段階に切り換えるので、大小２段階に切り換える場合に比して、よりきめ細かい携帯機の位置判定を行うことができる。
【発明を実施するための最良の形態】
【００２５】
以下、本発明の実施形態について、添付図面を参照しながら詳細に説明する。
まず、本発明の第１の実施形態について説明する。図１は第１の実施形態に係るスマートエントリシステムを備えたリモートコントロールシステムを装備した自動車を模式的に示す平面説明図、図２はこのスマートエントリシステムのシステム構成の概略を示す説明図、また、図３は上記スマートエントリシステムのコントロールユニットの構成を概略的に示すブロック構成図である。
【００２６】
図１から良く分かるように、上記自動車Ｍには、所謂、スマートエントリシステムが装備されており、このスマートエントリシステムは、携帯機Ｋが車室内に有るか否かを検知するために室内検知用信号を送出する左右の室内検知用アンテナＮａ，Ｎｂと、携帯機Ｋが室外（車外）の所定範囲内に有るか否かを検知するために室外検知用信号を送出する室外検知用アンテナＮｃとを備え、これら各アンテナＮａ，Ｎｂ，Ｎｃは何れもスマートエントリシステムのコントロールユニットＥに信号授受可能に接続されている。このコントロールユニットＥには、携帯機Ｋからの応答信号を受信する受信アンテナＮｒも信号授受可能に接続されている。
【００２７】
また、車体後端部には、該後端部に形成された開口部を開閉可能に覆うバックドアとしてのリフトゲートＧが配設されている。このリフトゲートＧは、好ましくは合成樹脂製のパネル材を組み合わせて構成されたものである。
上記リフトゲートＧの外側には、押し操作またはタッチ操作によりＯＮするアクセススイッチＳｇが配置され、このアクセススイッチＳｇも上記コントロールユニットＥに信号授受可能に接続されている。
【００２８】
尚、このスマートエントリシステムでは、室内検知用信号および室外検知用信号には、比較的狭い範囲での交信に有効なＬＦ波（例えば、３０〜３００ｋＨｚ程度）が用いられ、携帯機の応答信号には、比較的広い範囲でも交信可能なＵＨＦ波（例えば、３００ＭＨｚ〜３ＧＨｚ程度）若しくはＶＨＦ波が用いられる。上記室内検知用アンテナＮａ，Ｎｂ及び室外検知用アンテナＮｃは何れも、フェライトバーにコイルを巻きつけて形成した所謂コイルアンテナとして構成されている。
【００２９】
図１から良く分かるように、上記左右の室内検知用（ＬＦ）アンテナＮａ，Ｎｂは、車室内の後部、特に、より好ましくはリフトゲートＧ近傍の車室内に、左右１個ずつ配設されている。また、室外検知用（ＬＦ）アンテナＮｃは、図４及び図５から良く分かるように、リフトゲートＧ内の略中央に配置されている。
【００３０】
図３は、上記コントロールユニットＥの構成を概略的に示すブロック構成図である。この図に示すように、上記コントロールユニットＥは、本コントロールユニットＥの主要部をなし各種の判断および制御を行う制御回路１０の他、室内検知用アンテナＮａ，Ｎｂ（室内検知用ＬＦアンテナ）の増幅回路１１，室外検知用アンテナＮｃ（室外検知用ＬＦアンテナ）の増幅回路１２及びＬＦ発振・変調回路１３を備えている。
また、本実施形態では、室内検知用アンテナＮａ，Ｎｂの出力を減衰させる減衰回路１４が設けられている。この減衰回路１４は、制御回路１０によってＯＮ／ＯＦＦが切り換えられる切換スイッチ１５，１５を介して、ＬＦ発振・変調回路１３と室内検知用アンテナ増幅回路１１の間に配設されている。
【００３１】
上記切換スイッチ１５，１５がＯＦＦの場合には、室内検知用アンテナＮａ，Ｎｂの出力は減衰されることはないが、切換スイッチ１５，１５がＯＮに切り換えられると、ＬＦ発振・変調回路１３と室内検知用アンテナ増幅回路１１とが減衰回路１４を介して接続されることにより、室内検知用アンテナＮａ，Ｎｂの出力が減衰される。
このように、本実施形態では、上記切換スイッチ１５，１５のＯＦＦ／ＯＮが切り換えられることにより、室内検知用アンテナＮａ，Ｎｂの出力が大小２段階に切り換えられるようになっている。
【００３２】
図４は上記室内検知用アンテナＮａ，Ｎｂ及び室外検知用アンテナＮｃの出力状態を模式的に示す上記自動車の平面説明図である。
上記切換スイッチ１５，１５がＯＦＦ状態の場合には、室内検知用アンテナＮａ，Ｎｂからの発信による磁界分布は、図４において破線曲線Ａ１，Ｂ１で示されるように比較的広いものとなり、室内検知用信号はリフトゲートＧを透過して室外まで送出される。この場合、リフトゲートＧは合成樹脂製であるので、磁束洩れが大きく（つまり、信号の透過性が高く）、携帯機Ｋが室外に有る場合でも、室外に洩れた室内検知用信号に応答して、携帯機Ｋが室内に有るものと認識される惧れが生じることになる。この点については後述する。
【００３３】
一方、上記切換スイッチ１５，１５がＯＮ状態の場合には、室内検知用アンテナＮａ，Ｎｂからの発信による磁界分布は、図４において２点鎖線曲線Ａ２，Ｂ２で示されるように比較的狭いものとなり、室内検知用信号は、室内をどうにかカバーできるがリフトゲートＧを透過して室外にまで送出されることはないように設定されている。
【００３４】
以上の構成において、ユーザの車両Ｍへの接近に伴って携帯機Ｋが所定範囲（室外検知用アンテナＮｃの送信範囲）内に入り、リフトゲートＧのアクセススイッチＳｇがＯＮされた場合には、室内検知用アンテナＮａ，Ｎｂ及び室外検知用アンテナＮｃが駆動されてそれぞれ室内検知用および室外検知用の信号をそれぞれ送出する。そして、携帯機Ｋが室外検知用信号を受信して起動され、応答信号を出力する。この応答信号を車載の受信アンテナＮｒが受信することにより、ユーザが車両に接近していることが認識され、コントロールユニットＥの制御回路１０がリフトゲートＧのロック・アンロック機構を駆動し、当該リフトゲートＧをアンロックするように構成されている。
【００３５】
但し、室外検知用信号は室外のみに送出されるのではなく、不可避的に、その一部は室内へも送出されるので、携帯機Ｋが室内に有るにも拘らずリフトゲートＧがアンロックされてしまうことを防止するために、室内検知用アンテナＮａ，Ｎｂから室内検知用信号が送出されており、携帯機Ｋがこの室内検知用信号に対する応答信号を出力した場合には、携帯機Ｋは室内にあることが認識され、リフトゲートＧはアンロックされることはないようになっている。尚、ユーザが車両を離れる場合には、以上の説明とは逆の動作となる。
【００３６】
本実施形態では、上述のように、コントロールユニットＥに室内検知用（ＬＦ）アンテナＮａ，Ｎｂの出力を減衰させ得る減衰回路１４が設けられ、切換スイッチ１５，１５のＯＮ／ＯＦＦを切り換えることで、室内検知用（ＬＦ）アンテナＮａ，Ｎｂの出力を大小２段階に切り換えるようにしている。
次に、上記スマートエントリシステムにおける室内検知用アンテナの出力制御について、図５のフローチャートを参照しながら説明する。
【００３７】
システムがスタートすると、リフトゲートＧに設けたアクセススイッチＳｇがＯＮされた否かが継続的に判定され（ステップ＃１）、これがＹＥＳになると、ステップ＃２で、リフトゲートＧに設けたＬＦアンテナ（つまり、室外検知用アンテナＮｃ）が所定の出力で室外検知用信号を出力し、図４における磁界Ｃの範囲で送信エリアが形成される。
次に、ステップ＃３で、携帯機Ｋが室外検知用信号を受信したか否か（つまり、室外検知用信号に対する携帯機Ｋからの応答信号が受信アンテナＮｒで受信されたか否か）が判定される。これがＮＯの場合には、アクセス者は携帯機Ｋを所持していないものと判断され（ステップ＃４）、ステップ＃１へリターンする。
【００３８】
一方、ステップ＃３での判定結果がＹＥＳの場合には、ステップ＃５で、左右のＬＦアンテナ（つまり、室内検知用アンテナＮａ，Ｎｂ）から、まず、大きい出力で室内検知用信号が出力され、図４における比較的広い磁界Ａ１，Ｂ１の範囲で送信エリアが形成される。このとき、室内検知用信号は、合成樹脂製で磁束洩れが大きい（つまり、信号の透過性が高い）リフトゲートＧを透過して室外まで送出される。
【００３９】
そして、ステップ＃６で、携帯機Ｋが送信エリアＡ１，Ｂ１の何れか一方（ＯＲ）又は両方（ＡＮＤ）の室内検知用信号を受信したか否か（つまり、室内検知用信号に対する携帯機Ｋからの応答信号が受信アンテナＮｒで受信されたか否か）が判定される。これがＮＯの場合には、携帯機Ｋは室外に有るものと判断され（ステップ＃７）、携帯機Ｋが室外にあり、アクセス者が携帯機Ｋを所持していると認識されるので、リフトゲートＧがアンロックされる（ステップ＃８）ようになっている。
【００４０】
一方、ステップ＃６での判定結果がＮＯの場合には、更に、ステップ＃９で、左右のＬＦアンテナ（室内検知用アンテナＮａ，Ｎｂ）から、今度は、小さい出力で室内検知用信号が出力され、図４における比較的狭い磁界Ａ２，Ｂ２の範囲で送信エリアが形成される。このとき、室内検知用信号は、室内をどうにか検知できるがリフトゲートＧを透過して室外にまで送出されることはない。
【００４１】
そして、ステップ＃１０で、携帯機Ｋが送信エリアＡ２，Ｂ２の何れの室内検知用信号も受信していないか否か（つまり、室内検知用信号に対する携帯機Ｋからの応答信号が受信アンテナＮｒで受信されていないか否か）が判定される。これがＮＯの場合には、携帯機Ｋは室内に有るものと判断され（ステップ＃１１）、ステップ＃１にリターンする。一方、ステップ＃１０での判定結果がＹＥＳの場合には、携帯機Ｋは室外に有るものと判断され（ステップ＃１２）、携帯機Ｋが室外にあり、アクセス者が携帯機Ｋを所持していると認識されるので、リフトゲートＧがアンロックされる（ステップ＃１３）ようになっている。
【００４２】
このように、室内検知用信号を出力し得る室内検知用アンテナＮａ，Ｎｂの出力を減衰回路１４及び切換スイッチ１５，１５によって大小２段階の大きさに切り換えることができ、この大小２段階の大きさの出力信号のそれぞれについて、上記携帯機Ｋが受信したか否かにより当該携帯機の位置を制御回路１０で判定するので、室内検知用アンテナの出力が一定であった従来に比して、よりきめ細かい携帯機Ｋの位置判定が可能となり、より有効に誤検知を防止することができるのである。
【００４３】
この場合、室内検知用アンテナＮａ，Ｎｂの出力は大小２段階に切り換えられるだけであるので、減衰回路１４及び切換スイッチ１５，１５は１組だけでよく、出力切換手段の構成は比較的簡素なもので済む。
また、室内検知用アンテナＮａ，Ｎｂは車室内の後部に配設されているので、車両後方に携帯機Ｋが位置している場合について、その位置検出を行う上で有利である。特に、
室内検知用アンテナＮａ，Ｎｂが車体後端部に形成された開口部を開閉可能に覆うリフトゲートＧの比較的近傍の車室内に配設されているので、スマートエントリシステム適用のニーズが高いリフトゲートＧについて、その後方に携帯機Ｋが位置しているか否かを認識する上で有利である。
【００４４】
更に、この場合、リフトゲートＧが電波透過性の高い合成樹脂材で形成されており、誤検知が生じ易い場合について、よりきめ細かい携帯機Ｋの位置判定が可能で、より有効に誤検知を防止することができる。
また更に、室内検知用アンテナＮａ，Ｎｂが車室内後部の左右側部に１つずつ配設されているので、より一層きめ細かい携帯機Ｋの位置判定を行うことができるのである。
【００４５】
次に、第２の実施形態について説明する。
この第２の実施形態は、室内検知用アンテナＮａ，Ｎｂの出力を大中小３段階に切り換えるようにしたものである。
図６は、第２の実施形態に係る室内検知用アンテナＮａ，Ｎｂ及び室外検知用アンテナＮｃの出力状態を模式的に示す上記自動車の平面説明図である。この図に示すように、この実施形態では、室内検知用アンテナＮａ，Ｎｂの出力は大中小の３段階に切り換えることができるようになっている。すなわち、大出力の場合には、図６において破線曲線Ａ１，Ｂ１で示されるように比較的広いものとなり、室内検知用信号はリフトゲートＧを透過して室外まで送出される。また、小出力の場合には、図６において２点鎖線曲線Ａ３，Ｂ３で示されるように、室内検知用信号は、室内をどうにかカバーできるがリフトゲートＧを透過して室外にまで送出されることはないように設定されている。
【００４６】
更に、中出力では、室内検知用アンテナＮａ，Ｎｂからの発信による磁界分布は、図６において１点鎖線曲線Ａ２，Ｂ２でその一部が示されるように、大出力での送信エリアＡ１，Ｂ１と小出力での送信エリアＡ３，Ｂ３の略中間程度の広さになるように設定されている。
このような、大中小３段階の出力の切り換えは、例えば、図２に示された減衰回路１４及び切換スイッチ１５，１５を２種類設け、減衰回路の減衰特性を異ならせておくことにより、実現可能である。
【００４７】
この第２の実施形態に係るスマートエントリシステムにおける室内検知用アンテナの出力制御について、図７のフローチャートを参照しながら説明する。
このフローチャートのステップ＃２１〜＃２８は、第１の実施形態についてのフローチャート（図５）のステップ＃１〜＃８と同一であるので、その説明は省略する。
ステップ＃２６での判定、つまり、携帯機Ｋが送信エリアＡ１，Ｂ１の何れか一方（ＯＲ）又は両方（ＡＮＤ）の室内検知用信号を受信したか否か（つまり、室内検知用信号に対する携帯機Ｋからの応答信号が受信アンテナＮｒで受信されたか否か）の判定の結果がＹＥＳの場合には、更に、ステップ＃２９で、中出力で室内検知用信号が出力され、図６における中間の広さの磁界Ａ２，Ｂ２の範囲で送信エリアが形成される。
【００４８】
そして、ステップ＃３０で、携帯機Ｋが送信エリアＡ２，Ｂ２の何れの室内検知用信号も受信していないか否か（つまり、室内検知用信号に対する携帯機Ｋからの応答信号が受信アンテナＮｒで受信されていないか否か）が判定される。これがＮＯの場合には、携帯機Ｋは室内に有るものと判断され（ステップ＃３１）、ステップ＃２１にリターンする。
一方、ステップ＃３０での判定結果がＹＥＳの場合には、更に、ステップ＃３２で、小出力で室内検知用信号が出力され、図６における最も狭い広さの磁界Ａ３，Ｂ３の範囲で送信エリアが形成される。
【００４９】
そして、ステップ＃３３で、携帯機Ｋが送信エリアＡ３，Ｂ３の何れの室内検知用信号も受信していないか否か（つまり、室内検知用信号に対する携帯機Ｋからの応答信号が受信アンテナＮｒで受信されていないか否か）が判定される。これがＮＯの場合には、携帯機Ｋは室内に有るものと判断され（ステップ＃３４）、ステップ＃２１にリターンする。一方、ステップ＃３３での判定結果がＹＥＳの場合には、携帯機Ｋは室外に有るものと判断され（ステップ＃３５）、携帯機Ｋが室外にあり、アクセス者が携帯機Ｋを所持していると認識されるので、リフトゲートＧがアンロックされる（ステップ＃３６）ようになっている。
【００５０】
このように、本実施形態では、室内検知用アンテナＮａ，Ｎｂの出力を大中小３段階に切り換えるので、大小２段階に切り換える場合（第１の実施形態）に比して、よりきめ細かい携帯機Ｋの位置判定を行うことができる。
尚、室内検知用アンテナＮａ，Ｎｂの出力を更に多段階に切り換えるようにすることも可能である。この場合には、ステップ＃２９〜＃３１の手順が段階数に応じて繰り返されることになる。
【００５１】
次に、第３の実施形態について説明する。
この第３の実施形態は、室内検知用アンテナＮａ，Ｎｂの複数の大きさの出力のうち大出力のものを、携帯機検知用信号の送信範囲が室外の所定領域（つまり、室外検知用アンテナの送信エリアに略相当する領域）にまで及ぶように設定することで、携帯機Ｋが車室外にあることを検知する室外検知用信号を出力し得る専用の室外検知アンテナを無くするようにしたものである。
【００５２】
尚、この第３の実施形態および次に述べる第４の実施形態では、室外検知用信号を出力し得る専用の室外検知アンテナは設けられていないので、携帯機検知用の検知信号を出力するアンテナを敢えて「室内検知用」と称する必要はないのであるが、上述の実施形態との対比等のため、便宜上、「室内検知用アンテナ」と称するものとする。
【００５３】
図９は、第３の実施形態に係る室内検知用アンテナＮａ，Ｎｂの出力状態を模式的に示す上記自動車の平面説明図である。この図に示すように、この実施形態では、室内検知用アンテナＮａ，Ｎｂのみが設けられ、室外検知用のアンテナは設けられていない。
前述の切換スイッチ１５，１５がＯＦＦ状態の場合には、室内検知用アンテナＮａ，Ｎｂからの発信による磁界分布は、図９において破線曲線Ａ２，Ｂ２で示されるように比較的広いものとなり、室内検知用信号はリフトゲートＧを透過して室外まで送出される。この送信エリアＡ２，Ｂ２は、第１および第２の実施形態で設けられていた室外検知用アンテナＮｃの送信エリアＣに略相当する領域までカバーしている。
【００５４】
一方、上記切換スイッチ１５，１５がＯＮ状態の場合には、室内検知用アンテナＮａ，Ｎｂからの発信による磁界分布は、図９において２点鎖線曲線Ａ１，Ｂ１で示されるように比較的狭いものとなり、室内検知用信号は、室内をどうにかカバーできるがリフトゲートＧを透過して室外にまで送出されることはないように設定されている。
【００５５】
この第３の実施形態に係るスマートエントリシステムにおける室内検知用アンテナの出力制御について、図１０のフローチャートを参照しながら説明する。
システムがスタートすると、リフトゲートＧに設けたアクセススイッチＳｇがＯＮされた否かが継続的に判定され（ステップ＃４１）、これがＹＥＳになると、ステップ＃４２で、左右のＬＦアンテナ（つまり、室内検知用アンテナＮａ，Ｎｂ）から、まず、小さい出力で室内検知用信号が出力され、図９における比較的狭い磁界Ａ１，Ｂ１の範囲で送信エリアが形成される。このとき、室内検知用信号は、室内をどうにか検知できるがリフトゲートＧを透過して室外にまで送出されることはない。
【００５６】
そして、ステップ＃４３で、携帯機Ｋが送信エリアＡ１，Ｂ１の何れか一方（ＯＲ）又は両方（ＡＮＤ）の室内検知用信号を受信したか否か（つまり、室内検知用信号に対する携帯機Ｋからの応答信号が受信アンテナＮｒで受信されたか否か）が判定される。これがＮＯの場合には、携帯機Ｋは室内に有るものと判断され（ステップ＃４４）、ステップ＃４１にリターンする。
一方、ステップ＃４３での判定結果がＮＯの場合には、更に、ステップ＃４５で、左右のＬＦアンテナ（室内検知用アンテナＮａ，Ｎｂ）から、今度は、大きい出力で室内検知用信号が出力され、図９における比較的広い磁界Ａ２，Ｂ２の範囲で送信エリアが形成される。このとき、室内検知用信号は、合成樹脂製で磁束洩れが大きい（つまり、信号の透過性が高い）リフトゲートＧを透過して室外まで送出される。
【００５７】
そして、ステップ＃４６で、携帯機Ｋが送信エリアＡ２，Ｂ２の何れの室内検知用信号も受信したか否か（つまり、室内検知用信号に対する携帯機Ｋからの応答信号が受信アンテナＮｒで受信されたか否か）が判定される。これがＮＯの場合には、携帯機Ｋは車両周辺には無いものと判断され（ステップ＃４７）、ステップ＃４１にリターンする。一方、ステップ＃４６での判定結果がＹＥＳの場合には、携帯機Ｋは室外に有るものと判断され（ステップ＃４８）、携帯機Ｋが室外にあり、アクセス者が携帯機Ｋを所持していると認識されるので、リフトゲートＧがアンロックされる（ステップ＃４９）ようになっている。
【００５８】
このように、本実施形態によれば、室内検知アンテナＮａ，Ｎｂの複数の大きさの出力のうち大出力のものを、携帯機検知用信号の送信範囲が室外の所定領域にまで及ぶように設定したことにより、携帯機Ｋが車室外にあることを検知する室外検知用信号を出力し得る専用の室外検知用アンテナを別途に設ける必要性を無くすることができ、部品点数を削減してシステム構成の簡素化を図ることができる。
【００５９】
次に、第４の実施形態について説明する。
この第４の実施形態は、室内検知用アンテナを車室内の後部における略中央部に１個だけ設けることにより、システムのより一層の簡素化を図るようにしたものである。
図１１は第４の実施形態に係るスマートエントリシステムを備えたリモートコントロールシステムを装備した自動車を模式的に示す平面説明図、図１２は上記第４の実施形態に係るスマートエントリシステムのシステム構成の概略を示す説明図、また、図１３は上記第４の実施形態に係るスマートエントリシステムの室内検知用アンテナの出力状態を模式的に示す上記自動車の平面説明図である。
【００６０】
これらの図に示すように、本実施形態では、室内検知用アンテナは車両の比較的後部の車幅方向における略中央に１個だけ設けられている。
この室内検知用アンテナＮｄも、上述の第１及び第３実施形態におけるものと同じく、大小２段階に出力が切り換えられ、室内検知用アンテナＮｄからの発信による磁界分布は、図１３において破線曲線Ｄ１で示されるように比較的狭く、室内をどうにかカバーできるがリフトゲートＧを透過して室外にまで送出されることはないエリアと、図１３において２点鎖線曲線Ｄ２で示されるように比較的広く、検知用信号がリフトゲートＧを透過して室外まで送出されるエリヤとに切り換えが可能である。
【００６１】
この第４の実施形態に係るスマートエントリシステムにおける室内検知用アンテナの出力制御について、図１４のフローチャートを参照しながら説明する。
システムがスタートすると、リフトゲートＧに設けたアクセススイッチＳｇがＯＮされた否かが継続的に判定され（ステップ＃５１）、これがＹＥＳになると、ステップ＃５２で、中央ＬＦアンテナ（つまり、室内検知用アンテナＮｄ）から、まず、小さい出力で室内検知用信号が出力され、図１３における比較的狭い磁界Ｄ１の範囲で送信エリアが形成される。このとき、室内検知用信号は、室内をどうにか検知できるがリフトゲートＧを透過して室外にまで送出されることはない。
【００６２】
そして、ステップ＃５３で、携帯機Ｋが送信エリアＤ１の室内検知用信号を受信したか否か（つまり、室内検知用信号に対する携帯機Ｋからの応答信号が受信アンテナＮｒで受信されたか否か）が判定される。これがＮＯの場合には、携帯機Ｋは室内に有るものと判断され（ステップ＃５４）、ステップ＃５１にリターンする。
一方、ステップ＃５３での判定結果がＮＯの場合には、更に、ステップ＃５５で、中央のＬＦアンテナ（室内検知用アンテナＮｄ）から、今度は、大きい出力で室内検知用信号が出力され、図１３における比較的広い磁界Ｄ２の範囲で送信エリアが形成される。このとき、室内検知用信号は、合成樹脂製で磁束洩れが大きい（つまり、信号の透過性が高い）リフトゲートＧを透過して室外まで送出される。
【００６３】
そして、ステップ＃５６で、携帯機Ｋが送信エリアＤ２の室内検知用信号を受信したか否か（つまり、室内検知用信号に対する携帯機Ｋからの応答信号が受信アンテナＮｒで受信されたか否か）が判定される。これがＮＯの場合には、携帯機Ｋは車両周辺には無いものと判断され（ステップ＃５７）、ステップ＃５１にリターンする。一方、ステップ＃５６での判定結果がＹＥＳの場合には、携帯機Ｋは室外に有るものと判断され（ステップ＃５８）、携帯機Ｋが室外にあり、アクセス者が携帯機Ｋを所持していると認識されるので、リフトゲートＧがアンロックされる（ステップ＃５９）ようになっている。
【００６４】
このように、本実施形態によれば、室内検知用アンテナＮｄを車室内の後部における略中央部に１個だけ設けることにより、左右側部に車室内検知用アンテナＮａ，Ｎｂを設けていた第１〜第３の実施形態に比して、システム構成のより一層の簡素化を図ることができる。
【００６５】
尚、以上の第１〜第４の実施形態については、「室内検出用アンテナ」自体の数、その出力の大きさの段階数、或いは専用の室外検知用アンテナの有無などについて、種々の組み合わせが可能である。
このように、本発明は、上記実施態様に限定されるものではなく、その要旨を逸脱しない範囲において、種々の変更や改良等が可能であることは言うまでもない。
【図面の簡単な説明】
【００６６】
【図１】本発明の第１の実施形態に係るスマートエントリシステムを備えたリモートコントロールシステムを装備した自動車を模式的に示す平面説明図である。
【図２】上記スマートエントリシステムのシステム構成の概略を示す説明図である。
【図３】上記スマートエントリシステムのコントロールユニットの構成を概略的に示すブロック構成図である。
【図４】上記スマートエントリシステムの室内検知用アンテナ及び室外検知用アンテナの出力状態を模式的に示す上記自動車の平面説明図である。
【図５】上記スマートエントリシステムにおける室内検知用アンテナの出力制御を説明するためのフローチャートである。
【図６】第２の実施形態に係るスマートエントリシステムの室内検知用アンテナ及び室外検知用アンテナの出力状態を模式的に示す上記自動車の平面説明図である。
【図７】上記第２の実施形態に係るスマートエントリシステムにおける室内検知用アンテナの出力制御を説明するためのフローチャートの一部である。
【図８】上記第２の実施形態に係るスマートエントリシステムにおける室内検知用アンテナの出力制御を説明するためのフローチャートの一部である。
【図９】第３の実施形態に係るスマートエントリシステムの室内検知用アンテナの出力状態を模式的に示す上記自動車の平面説明図である。
【図１０】上記第３の実施形態に係るスマートエントリシステムにおける室内検知用アンテナの出力制御を説明するためのフローチャートである。
【図１１】第４の実施形態に係るスマートエントリシステムを備えたリモートコントロールシステムを装備した自動車を模式的に示す平面説明図である。
【図１２】上記第４の実施形態に係るスマートエントリシステムのシステム構成の概略を示す説明図である。
【図１３】上記第４の実施形態に係るスマートエントリシステムの室内検知用アンテナの出力状態を模式的に示す上記自動車の平面説明図である。
【図１４】上記第４の実施形態に係るスマートエントリシステムにおける室内検知用アンテナの出力制御を説明するためのフローチャートである。
【符号の説明】
【００６７】
１０  制御回路
１４  出力減衰回路
１５  切換スイッチ
Ｅ  コントロールユニット
Ｇ  リフトゲート
Ｋ  携帯機
Ｍ  自動車
Ｎａ，Ｎｂ  室内検出用アンテナ
Ｎｃ  室外検出用アンテナ
【図１】
2005105715.tif 000003
【図２】
2005105715.tif 000004
【図３】
2005105715.tif 000005
【図４】
2005105715.tif 000006
【図５】
2005105715.tif 000007
【図６】
2005105715.tif 000008
【図７】
2005105715.tif 000009
【図８】
2005105715.tif 000010
【図９】
2005105715.tif 000011
【図１０】
2005105715.tif 000012
【図１１】
2005105715.tif 000013
【図１２】
2005105715.tif 000014
【図１３】
2005105715.tif 000015
【図１４】
2005105715.tif 000016